(57)【要約】【課題】  コンテンツデータを携帯型記憶装置に送信し、当該携帯型記憶装置が記憶するコンテンツデータの記憶容量を小さくすることのできるコンテンツデータ送信装置を提供する。【解決手段】  コンテンツ管理部は、記憶媒体に記憶されたコンテンツデータを読出し（Ｓ４０１）、当該コンテンツデータを複数のシーンに区切る（Ｓ４０２）。この後、コンテンツ記憶装置と通信部との間の接続が確立すると（Ｓ４０３）、携帯電話３がサポートしている動画フォーマットに対応しているか否かを確認する（Ｓ４０４）。お互いにサポートしている動画フォーマットがあれば（Ｓ４０６のＹｅｓ）、サムネイルを表示し（Ｓ４０８）、ユーザに特定のシーンが選択されれば（Ｓ４０９のＹｅｓ）、当該シーンをフォーマット変換してコンテンツデータを作成し（Ｓ４１０）、作成したコンテンツデータを携帯電話３に送信する（Ｓ４１１）。【選択図】      図４
2007274556.tif 000002
【特許請求の範囲】
【請求項１】
コンテンツデータを記憶媒体から読み出す読出部と、
前記記憶媒体が記憶するコンテンツデータを複数のシーンに区切るシーン検出部と、
前記シーン検出部が検出したシーンのうち、一部のシーンのコンテンツデータであるシーンデータを作成する作成部と、
前記作成部が作成したシーンデータを携帯型記憶装置に送信して記憶させる通信部と
を備えることを特徴とするコンテンツデータ送信装置。
【請求項２】
請求項１記載のコンテンツデータ送信装置において、
前記シーン検出部が区切ったシーンをユーザに提示する提示部
をさらに備え、
前記作成部は、前記提示部が提示したシーンのうち、ユーザが選択したシーンのシーンデータを作成すること
を特徴とする請求項１記載のコンテンツデータ送信装置。
【請求項３】
前記提示部は、前記シーン検出部が検出したシーンをサムネイル表示すること
を特徴とする請求項２記載のコンテンツデータ送信装置。
【請求項４】
前記通信部は、インターネットを介して前記携帯型記憶装置にシーンデータを送信し、
前記提示部は、前記携帯型記憶装置が有する表示装置で、前記シーン検出部が区切ったシーンをユーザに提示すること
を特徴とする請求項２記載のコンテンツデータ送信装置。
【請求項５】
請求項１記載のコンテンツデータ送信装置において、
前記読出部が読み出したコンテンツデータを再生する再生部
をさらに備え、
前記シーン検出部は、前記再生部が再生を停止した位置でコンテンツデータをシーンに区切り、
前記作成部は、前記再生部が再生を停止した位置より時系列順で後のシーンのシーンデータを作成し、
前記通信部は、前記作成部が作成した当該シーンデータを前記携帯型記憶装置に送信すること
を特徴とするコンテンツデータ送信装置。
【請求項６】
映像データ及び音声データを有するコンテンツデータを記憶媒体から読み出す読出部と、
前記記憶媒体が記憶するコンテンツデータを複数のシーンに区切るシーン検出部と、
前記シーン検出部が検出したシーンのうち一部のシーンに対しては映像データ及び音声データを有し、他のシーンに対しては映像データを含まず音声データを含むコンテンツデータである再構成データを作成する作成部と、
前記作成部が作成した再構成データを携帯型記憶装置に送信して記憶させる通信部と
を備えることを特徴とするコンテンツデータ送信装置。
【請求項７】
請求項６記載のコンテンツデータ送信装置において、
前記シーン検出部が区切ったシーンをユーザに提示する提示部
をさらに備え、
前記作成部は、前記提示部が提示したシーンのうち、ユーザが選択したシーンのシーンデータを作成すること
を特徴とするコンテンツデータ送信装置。
【請求項８】
前記提示部は、前記シーン検出部が検出したシーンをサムネイル表示すること
を特徴とする請求項７記載のコンテンツデータ送信装置。
【請求項９】
前記通信部は、インターネットを介して前記携帯型記憶装置にシーンデータを送信すること
を特徴とする請求項１乃至請求項８のいずれか１項記載のコンテンツデータ送信装置。
【請求項１０】
前記通信部は、無線通信により前記携帯型記憶装置にシーンデータを送信すること
を特徴とする請求項１乃至請求項８のいずれか１項記載のコンテンツデータ送信装置。
【発明の詳細な説明】
【技術分野】
【０００１】
本発明は、コンテンツデータを携帯型記憶装置に送信するコンテンツデータ送信装置に関する。
【背景技術】
【０００２】
ＨＤＤ（Ｈａｒｄ  Ｄｉｓｋ  Ｄｒｉｖｅ）等の記憶媒体の小型化、大容量化に伴い、近年、例えばハードディスクレコーダ等の記憶装置に記憶された動画データや音楽データ等のコンテンツデータを携帯型の視聴端末等に送信し、当該携帯型視聴端末でユーザがコンテンツデータを視聴することが考えられている（例えば、特許文献１）。特許文献１では、ハードディスクレコーダ等に記憶された動画像を携帯視聴端末で視聴する場合に、ユーザが予め記憶させた条件に合致するシーンの有無を解析し、合致するシーンを指し示す選択情報を通知する装置が記載されている。これにより、ユーザの関心が高い場面を容易に視聴することができるようになる。
【特許文献１】特開２００４−１７３１２０号公報
【発明の開示】
【発明が解決しようとする課題】
【０００３】
しかしながら、特許文献１記載の手法ではユーザが視聴する携帯視聴端末はネットワークに常に接続されており、ネットワークを介してストリーミング伝送することを前提としており、携帯視聴端末の記憶容量は問題とならない。
【０００４】
一方、携帯視聴端末がネットワークに接続されていないときにユーザがコンテンツデータを視聴しようとすると、携帯視聴端末が予め記憶媒体に当該コンテンツデータを記憶していなければならない。しかしながら携帯視聴端末が有する記憶媒体の記憶容量はあまり大きくないことが通常であり、コンテンツデータの記憶容量をなるべく小さくする必要がある。
【０００５】
そこで本発明は、コンテンツデータを携帯型記憶装置に送信し、当該携帯型記憶装置が記憶するコンテンツデータの記憶容量を小さくすることのできるコンテンツデータ送信装置を提供することを目的とする。
【課題を解決するための手段】
【０００６】
上記目的を達成するために、請求項1記載のコンテンツデータ送信装置は、コンテンツデータを記憶媒体から読み出す読出部と、前記記憶媒体が記憶するコンテンツデータを複数のシーンに区切るシーン検出部と、前記シーン検出部が検出したシーンのうち、一部のシーンのコンテンツデータであるシーンデータを作成する作成部と、前記作成部が作成したシーンデータを携帯型記憶装置に送信して記憶させる通信部とを備えることを特徴とする。
【０００７】
請求項６記載のコンテンツデータ送信装置は、映像データ及び音声データを有するコンテンツデータを記憶媒体から読み出す読出部と、前記記憶媒体が記憶するコンテンツデータを複数のシーンに区切るシーン検出部と、前記シーン検出部が検出したシーンのうち一部のシーンに対しては映像データ及び音声データを有し、他のシーンに対しては映像データを含まず音声データを含むコンテンツデータである再構成データを作成する作成部と、前記作成部が作成した再構成データを携帯型記憶装置に送信して記憶させる通信部とを備えることを特徴とする。
【発明の効果】
【０００８】
本発明によれば、コンテンツデータを携帯型記憶装置に送信し、当該携帯型記憶装置が記憶するコンテンツデータの記憶容量を小さくすることのできるコンテンツデータ送信装置を提供することができる。
【発明を実施するための最良の形態】
【０００９】
以下、本発明のコンテンツデータ送信装置について、図面を参照しながら説明する。
【実施例１】
【００１０】
図1は、本発明のコンテンツデータ送信装置の実施例に係るコンテンツ記憶装置が使用される通信システムの構成を示す図である。
通信システム１は、コンテンツデータを記憶するコンテンツ記憶装置２と、コンテンツ記憶装置２と無線通信し、コンテンツ記憶装置２からコンテンツデータを受信する携帯電話３と、コンテンツ記憶装置２から出力された映像信号及び音声信号により、ユーザに映像及び音声を出力する表示装置４とから構成される。
【００１１】
コンテンツ記憶装置２は、内部に記憶媒体を有し、当該記憶媒体にチューナで受信したＴＶ番組等の１以上のコンテンツデータを記憶する。尚、ここではコンテンツデータは映像データ及び音声データを含むものとして説明を行うが、これに限られるものではなく、音声データであっても良い。
【００１２】
また、コンテンツ記憶装置２は、記憶するコンテンツデータを携帯電話３に送信する際に、その記憶容量を小さくするため、コンテンツデータを複数のチャプタ（シーン）に区切り、選択されたチャプタについてのみに係るコンテンツデータを作成し、これを転送する機能を有する。
【００１３】
このとき、コンテンツ記憶装置２が作成するコンテンツデータの動画フォーマット（例えばＭＰＥＧ−２、ＭＰＥＧ−４等）は、携帯電話３がサポートしている動画フォーマットの情報を予め取得することにより、コンテンツ記憶装置２及び携帯電話３の双方がサポートしている動画フォーマットとする。
【００１４】
また或いは、コンテンツデータのうち一部のチャプタについては映像データ及び音声データの両方を含み、その他のチャプタについては音声データのみを含み、映像データを含まないコンテンツデータを作成し、これを転送する機能も有する。
【００１５】
携帯電話３は、コンテンツ記憶装置２と例えばＢｌｕｅｔｏｏｔｈ（登録商標）や無線ＬＡＮ（Ｌｏｃａｌ  Ａｒｅａ  Ｎｅｔｗｏｒｋ）等により無線通信する。携帯電話３は当該無線通信によりコンテンツ記憶装置２からコンテンツデータを取得し、内蔵する記憶媒体に当該コンテンツデータを記憶する。
【００１６】
このように記憶媒体にコンテンツデータを記憶することにより、携帯電話３は、コンテンツ記憶装置２と通信できず、ストリーミング再生できない場合であっても、当該コンテンツデータを内蔵する記憶媒体から読み出して再生し、ユーザに視聴させることができる。
【００１７】
尚、ここでは携帯型記憶装置の例として携帯電話３について説明を行っているが、これに限られるものではない。例えば、ＨＤＤ（Ｈａｒｄ  Ｄｉｓｋ  Ｄｒｉｖｅ）やメモリ等の記憶媒体を内蔵していたり、ＤＶＤ（Ｄｉｇｉｔａｌ  Ｖｅｒｓａｔｉｌｅ  Ｄｉｓｋ）等の記憶媒体を挿入可能なドライブを有していたり、或いはＵＳＢメモリ等の記憶媒体を着脱可能な端子を有したりしていており、当該記憶媒体に記憶されたコンテンツデータを読出し、再生して表示画面やスピーカ、ヘッドフォン出力等で映像や音声を出力する機器であっても良い。
【００１８】
さらに、本実施例ではコンテンツ記憶装置２と携帯電話３とは無線により通信しているが、有線通信であっても良い。この場合、例えば携帯電話３はＬＡＮ端子を有し、ＬＡＮケーブルでコンテンツ記憶装置２と携帯電話３とを接続することにより、コンテンツデータの伝送が行われることになる。
【００１９】
表示装置４は、コンテンツ記憶装置２から出力される映像信号や音声信号により、映像や音声を出力し、ユーザに視聴させる。特に、本実施例ではコンテンツデータのチャプタのサムネイルは、コンテンツ記憶装置２からの出力の下、表示装置４が表示するものとする。
【００２０】
図２は、コンテンツ記憶装置２の構成を示す図である。コンテンツ記憶装置２は、操作部２０１と、ユーザ処理部２０２と、映像出力部２０３と、録画情報管理部２０４と、タイマ２０５と、再生部２０６と、機器管理部２０７と、コンテンツ管理部２０８と、チューナ２０９と、機器制御部２１０と、フォーマット変換部２１１と、記憶媒体２１２と、通信部２１３とから構成される。
【００２１】
ユーザ処理部２０２は、スイッチやリモコンからの制御信号を受信する赤外線受光部である操作部２０１へのユーザの操作入力により、ユーザが録画を希望するＴＶ番組のチャネルや時間帯、映像のレート情報等の録画番組に関する情報を受け取り、これを録画情報管理部２０４へ通知する。
【００２２】
録画情報管理部２０４は受け取った録画番組の情報を記録し、タイマ２０５の時刻が当該録画番組の放送開始時刻と一致した場合に、録画開始時刻である旨をコンテンツ管理部２０８に通知する。
【００２３】
コンテンツ管理部２０８は、録画情報管理部２０４から録画開始時刻である旨の通知を受けると、チューナ２０９から映像データの入力を受け、ユーザに指定されたレートで記憶媒体２１２にコンテンツデータ２１２ａとして記録する。尚、記憶媒体２１２は、例えば内蔵ＨＤＤや、ＤＶＤ等である。
【００２４】
記憶媒体２１２に記憶させたコンテンツデータ２１２ａに付随する例えば放送時間やチャネル、番組の内容説明等の番組情報は、コンテンツ管理部２０８が管理する。尚、番組情報は例えばチューナ２０９で受信する放送波に多重されるＥＰＧやインターネットからのＥＰＧ等により取得できる。
【００２５】
さらに、コンテンツ管理部２０８は、記憶媒体２１２に記憶されたコンテンツデータ２１２ａを複数のチャプタ（シーン）に区切る機能を有する。チャプタに区切る方法としてはいくつか考えられるが、例えば字幕（テロップ）の有無により区切る方法や、画像フレーム間の変化量の多い箇所で区切る方法、所定値以上の音量検出したときにチャプタに区切る方法、所定の人物を画像認識により検出した場合にチャプタに区切る方法等がある。
【００２６】
また、ユーザが操作部２０１を操作し、コンテンツデータ２１２ａの再生を指示すると、ユーザ処理部２０２は再生部２０６にコンテンツデータ２１２ａの再生を指示する。
【００２７】
コンテンツ管理部２０８は、記憶媒体２１２からコンテンツデータ２１２ａを読出し、再生部２０６に渡す。再生部２０６は、コンテンツデータ２１２ａから映像信号及び音声信号にデコードし、ユーザ処理部２０２を介して映像出力部２０３に渡す。映像出力部２０３は映像信号及び音声信号を表示装置４に出力する。
【００２８】
表示装置４は、当該映像信号及び音声信号に基づいて、映像及び音声を出力し、ユーザに視聴させる。
通信部２１３は、Ｂｌｕｅｔｏｏｔｈ通信や無線ＬＡＮ等により携帯電話３と通信する無線通信インタフェースである。通信部２１３は、機器制御部２１０による制御の下、フォーマット変換部２１２が作成したコンテンツデータを携帯電話３に送信する。
【００２９】
フォーマット変換部２１１は、コンテンツデータ２１２ａのうちコンテンツ管理部２０８が区切ったチャプタであって、ユーザが指示したチャプタについて、携帯電話３及びフォーマット変換部２１１の双方が対応する動画フォーマットにフォーマット変換する機能を有する。
【００３０】
機器管理部２０７は、携帯電話３や他の携帯型記憶装置に固有に割り当てられた機器識別情報と、当該装置が対応する動画フォーマットとの対応を管理する。尚、各装置に固有に割り当てられる機器識別情報の例としては、例えばＭＡＣアドレス等が挙げられる。
【００３１】
図３は携帯型記憶装置である携帯電話３の構成を示す図である。携帯電話３は、操作部３０１と、映像表示部３０２と、ユーザ処理部３０３と、機器管理部３０４と、機器制御部３０５と、コンテンツ管理部３０６と、記憶媒体３０７と、通信部３０８と、再生部３０９とを有する。尚、図３には図示していないが、電話として機能するためのマイクやスピーカ、電話通信部等も携帯電話３は備える。
【００３２】
通信部３０８がコンテンツ記憶装置２と通信できる状態になると、その旨を機器制御部３０５に通知する。機器制御部３０５は再生できるコンテンツデータのフォーマット情報（例えば、ＭＰＥＧ−２やＭＰＥＧ−４等）、及び携帯電話３を一意に特定できる機器識別情報（先述の通り、例えばＭＡＣアドレス等）を機器管理部３０４から読み出し、これらの情報をコンテンツ記憶装置２に通信部３０８を介して送信する。
【００３３】
尚、コンテンツ記憶装置２は、これらのフォーマット情報及び機器識別情報を通信部２１３で受信すると、機器制御部２１０の制御の下、機器管理部２０７が管理する。
【００３４】
ユーザがコンテンツ記憶装置２に記憶されたコンテンツデータ２１２を記憶媒体３０７に記憶させる際には、ユーザは操作部３０１を操作して通信部３０８とコンテンツ記憶装置２との間に無線接続を確立させ、通信可能状態とする。
【００３５】
機器制御部３０５はこのとき、再生部３０９が対応するフォーマット情報及び機器識別情報を、通信部３０８を介してコンテンツ記憶装置２に通知する。
この後、コンテンツ記憶装置２から通信部３０８が受信したコンテンツデータを、コンテンツ管理部３０６は記憶媒体３０７に記憶させる。
ユーザが記憶媒体３０７に記憶したコンテンツデータを視聴する場合には、コンテンツ管理部３０６は記憶媒体３０７からコンテンツデータを読み出し、再生部３０９がそれを再生する。再生部３０９が再生した映像は、ユーザ処理部３０３を介して入力を受けた映像表示部３０２が表示する。
【００３６】
尚、映像表示部３０２は、例えばＬＣＤ（Ｌｉｑｕｉｄ  Ｃｒｙｓｔａｌ  Ｄｉｓｐｌａｙ）、有機ＥＬ（Ｅｌｅｃｔｒｏｌｕｍｉｎｅｓｃｅｎｃｅ）等である。
以下、コンテンツ記憶装置２が記憶するコンテンツデータに係るデータを携帯電話３に送信する際の処理の流れを、図４を参照しながら説明する。
まず、コンテンツ管理部２０８は、記憶媒体２１２に記憶されたコンテンツデータ２１２ａを読出し（Ｓ４０１）、当該コンテンツデータ２１２ａを複数のチャプタ（シーン）に区切る（Ｓ４０２）。コンテンツデータを複数のシーンに区切る手法としては、先述の通り例えば字幕（テロップ）の有無を検出して区切る方法や、画像フレーム間の変化量の多い箇所で区切る方法、所定値以上の音量検出したときにチャプタに区切る方法、所定の人物を画像認識により検出した場合にチャプタに区切る方法等がある。
【００３７】
尚、このようなシーンの検出は、ユーザからの転送指示前に行っておくと、後の処理が少なくなって応答性が高まり、ユーザの利便性を向上させることができる。
この後、コンテンツ記憶装置２と通信部３０８との間の接続が確立すると（Ｓ４０３）、先述の通り機器固有の機器識別情報とフォーマット情報とを携帯電話３がコンテンツ記憶装置２に送信する。
【００３８】
コンテンツ記憶装置２の通信部２１３が当該フォーマット情報と機器識別情報とを受信すると、機器制御部２１０は当該情報を対応付けて機器管理部２０７に管理させると共に、機器管理部２１０は携帯電話３がサポートしている動画フォーマットにフォーマット変換部２１１が対応しているか否かを確認する（Ｓ４０４）。対応しているフォーマットがあれば、そのフォーマットを携帯電話３の機器識別情報と対応付けて機器管理部２０７で管理する。
【００３９】
このとき、対応するコンテンツ記憶装置２及び携帯電話３の両方がサポートするフォーマットが複数あれば、例えば圧縮率の最も高い動画フォーマットや画質の最も良い動画フォーマットを選択するようにしても良いし、或いはユーザ処理部２０２がユーザにどの動画フォーマットを使用するか選択させても良い。いずれにしても、選択した動画フォーマットは機器管理部２０７が管理する。
【００４０】
次に、コンテンツ記憶装置２はユーザからのコンテンツデータの転送指示入力があったか否かを判断する（Ｓ４０５）。この転送指示は、ユーザが操作部２０１を操作して入力しても良いし、ユーザが携帯電話３の操作部３０１を操作して入力し、携帯電話３の通信部３０８からコンテンツ記憶装置２に制御信号を送信することにより行っても良い。
【００４１】
尚、これに先立ち、コンテンツ記憶装置２の機器制御部２１０は、携帯電話３に対して、現在記憶媒体２１２内に記憶しているコンテンツデータ２１２ａの情報をコンテンツ管理部２０８から取得し、通信部２１３から送信することができる。このコンテンツデータ２１２ａの情報とは、例えば放送時間、チャネル、番組のタイトル等である。
【００４２】
携帯電話３は、コンテンツ記憶装置２から通信部３０８で受信した番組情報を、機器制御部３０５がコンテンツ管理部３０５は、コンテンツ記憶装置２の機器識別情報と共に機器管理部３０４に登録する。このようにすることで、コンテンツ記憶装置２に記録されたコピー可能なコンテンツデータ２１２ａの情報を携帯電話３が取得することができる。
【００４３】
ユーザからコンテンツデータ２１２ａの転送指示を受けると（Ｓ４０５のＹｅｓ）、機器制御部２１０は機器管理部２０７を参照し、携帯電話３及びフォーマット変換部２１１の両方が対応するフォーマットがあるか否かを判断する（Ｓ４０６）。
【００４４】
もし、両者が共に対応するフォーマットがなければ（Ｓ４０６のＮｏ）、ユーザ処理部２０２はエラーメッセージを作成し、映像出力部２０３を介して表示装置４に当該エラーメッセージを表示させる（Ｓ４０７）。
【００４５】
携帯電話３及びフォーマット変換部２１１の両者が対応する動画フォーマットが機器管理部２０７に登録されていれば（Ｓ４０６のＹｅｓ）、ユーザ処理部２０２は、ユーザが選択したコンテンツデータ２１２ａの各チャプタ（シーン）についてのサムネイルを表示したチャプタ一覧画面をＧＵＩとして作成し、ユーザ処理部２０２は映像出力部２０３から表示装置４に出力する。尚、コンテンツデータ２１２ａのチャプタについては、Ｓ４０２で予めコンテンツ管理部２０８が区切ったものである。
【００４６】
図５は、ユーザ処理部２０２が作成するチャプタ一覧画面の例を示す図である。図５のチャプタ一覧画面５には、ユーザへのメッセージ５１と、コンテンツデータ２１２ａの各チャプタのサムネイル５２ａ乃至５２ｄと、カーソル５３とを表示している。
【００４７】
尚、図５のチャプタ一覧画面５の例では、メッセージ５１として「転送するシーンを選択してください。」と表示されている。
ユーザが操作部２０１を操作すると、ユーザ処理部２０２はそれに合わせてカーソル５３を移動させる。このカーソル５３を操作することで、ユーザは携帯電話３に転送するチャプタを選択することができる。
【００４８】
ユーザが特定のチャプタを選択すると（Ｓ４０９のＹｅｓ）、フォーマット変換部２１１はコンテンツデータ２１２ａを読出し、当該チャプタにかかる部分についてのコンテンツデータを新たに作成する（Ｓ４１０）。ここで、この新たにフォーマット変換部２１１が作成する動画フォーマットは、機器管理部２０７が携帯電話３に対して予めＳ４０４で登録したフォーマットである。
【００４９】
フォーマット変換部２１１が作成した動画コンテンツデータは、機器管理部２１０が通信部２１３を介して携帯電話３に送信する（Ｓ４１１）。
携帯電話３は、このコンテンツデータを通信部３０８で受信し、機器制御部３０５がコンテンツ管理部３０６を介して記憶媒体３０７に記憶させる。
以上説明したように、本実施例によれば、ユーザは所望のシーンのみを選択して携帯電話３に転送できるようになるので、携帯電話３が記憶するコンテンツデータのデータ量を減らすことができる。先述の通り、携帯電話３のように携帯型の装置は、大きさ、重さ、価格等の問題により記憶容量が制限されていることが多く、このようにデータ量を削減することができれば、ユーザの利便性を向上させることができる。
【００５０】
特に、例えば歌番組やコント番組等であれば、ユーザが興味のある歌手が歌うシーンや人気のあるタレントのコントに係るシーンだけをユーザが選択して携帯電話３に転送することができるようになる。
【００５１】
尚、本実施例では図５のようにチャプタ一覧画面５を表示し、転送するシーン（チャプタ）を選択させているが、これに限られるものではない。例えばコンテンツデータ２１２ａの全体について複数のシーンに区切った後、一部のシーンについては映像データ及び音声データの両方を含み、他のシーンについては音声データのみで映像データを含まなくしたコンテンツデータをフォーマット変換部２１１が作成し、そのコンテンツデータを通信部２１３が携帯電話３に送信するようにしても良い。
【００５２】
図６は、フォーマット変換部２１１が作成する、一部のシーンについては映像データ及び音声データの両方を含み、他のシーンについては音声データのみで映像データを含まなくしたコンテンツデータの例を示す図である。
【００５３】
図６のようなコンテンツデータは、コンテンツ管理部２０８が予め複数のシーン（チャプタ）に区切ったコンテンツデータ２１２ａの全体を対象に、フォーマット変換部２１１が作成する。
【００５４】
図６のコンテンツデータの例では、コンテンツデータ全体が１０のシーンに分割されている。そのうち、シーン７１ａ乃至７１ｅは映像データ及び音声データの両者を含み、シーン７２ａ乃至７２ｅは映像データを含まず、音声データのみを含む。
【００５５】
このようにすると、ユーザはコンテンツデータ全体について携帯電話３で視聴可能となる。例えば、当該コンテンツデータがニュース番組に係るものであるとすると、キャスタのコメント部分については通常音声データのみでもユーザはかなりの情報を得ることができるが、字幕が表示されるシーン等については、ユーザは字幕を含む映像を確認しなければ十分な情報を得ることができない。
【００５６】
このような場合、例えばコンテンツ管理部２０８が字幕の有無を検出して複数のシーンに区切り、フォーマット変換部２１１が字幕のあるシーンをシーン７１ａ乃至７１ｅとして映像データ及び音声データを含み、字幕の無いシーンをシーン７２ａ乃至７２ｅとして音声データのみとすれば、ユーザはコンテンツデータ全体に対して少なくとも音声情報を得ることができるようになる。
【００５７】
また、映像データは音声データに比べてデータ量が大きいので、一部のシーンに対してだけ映像データを含むようにすることで、携帯電話３に送信するコンテンツデータのデータ量を大きく削減することができる。
【００５８】
さらに、字幕部分については映像データで確認できるので、音声情報だけとする場合に比べ、ユーザが受け取る情報量の減少を抑制することができる。
さらに、ユーザは携帯電話３に転送するシーンを選択する必要等が無いので、ユーザにとっての利便性も高い。
他の実施形態としては、例えばコンテンツデータ２１２ａをコンテンツ記憶装置２で再生して表示装置４に映像及び音声を出力してユーザが視聴している場合に、ユーザが当該コンテンツデータの視聴を停止し、残りを外出先で携帯電話３を用いて視聴したい場合がある。
【００５９】
そのような場合に、再生部２０６の再生停止位置をコンテンツ管理部２０８が検出し、その位置でコンテンツデータ２１２ａを区切ってシーンを作成する。更に、フォーマット変換部２１１が残りの部分についてフォーマット変換を行い、通信部２１３から携帯電話３に転送するようにすればよい。
【００６０】
このようにすると、ユーザはコンテンツデータの残りの部分を視聴することができるだけでなく、既にユーザが視聴済みの部分については転送しなくて済み、携帯電話３の記憶容量の減少を抑えることができる。
【００６１】
尚、本実施例では、コンテンツ記憶装置２と携帯電話３との間でのコンテンツデータの伝送は無線ＬＡＮやＢｌｕｅｔｏｏｔｈ通信等により直接行っているが、これに限られるものではない。例えば図７のように、宅外から携帯電話３がコンテンツ記憶装置２と通信し、コンテンツデータを取得するようにしても良い。
【００６２】
図７のシステムでは、コンテンツ記憶装置２はインターネット５に接続され、当該インターネット５に接続された基地局６を介して、公衆電話通信網で携帯電話３にコンテンツデータを伝送することになる。このような場合、コンテンツデータのうち、伝送するシーンを選択させる場合には、チャプタ一覧画面５は、ユーザ処理部３０３が作成し、携帯電話３の映像表示部３０２に表示することになる。
【図面の簡単な説明】
【００６３】
【図１】本発明の実施例１に係るコンテンツ記憶装置が使用される通信システムの構成を示す図。
【図２】本発明の実施例１に係るコンテンツ記憶装置の構成を示す図。
【図３】本発明の実施例１に係るコンテンツ記憶装置が通信する携帯電話の構成を示す図。
【図４】本発明の実施例１に係るコンテンツ記憶装置の処理の流れを示す図。
【図５】本発明の実施例１に係るコンテンツ記憶装置が表示させる表示画面の例を示す図。
【図６】本発明の変形例に係るコンテンツ記憶装置が作成するコンテンツデータの例を示す図。
【図７】本発明の変形例に係るコンテンツ記憶装置が使用される通信システムの構成を示す図。
【符号の説明】
【００６４】
１・・・通信システム
２・・・コンテンツ記憶装置
３・・・携帯電話
４・・・表示装置
５・・・インターネット
６・・・基地局
５１・・・メッセージ
５２ａ、５２ｂ、５２ｃ、５２ｄ・・・サムネイル
５３・・・カーソル
２０１・・・操作部
２０２・・・ユーザ処理部
２０３・・・映像出力部
２０４・・・録画情報管理部
２０５・・・タイマ
２０６・・・再生部
２０７・・・機器管理部
２０８・・・コンテンツ管理部
２０９・・・チューナ
２１０・・・機器制御部
２１１・・・フォーマット変換部
２１２・・・記憶媒体
２１２ａ・・・コンテンツデータ
２１３・・・通信部
３０１・・・操作部
３０２・・・映像表示部
３０３・・・ユーザ処理部
３０４・・・機器管理部
３０５・・・機器制御部
３０６・・・コンテンツ管理部
３０７・・・記憶媒体
３０８・・・通信部
３０９・・・再生部
７１ａ、７１ｂ、７１ｃ、７１ｄ、７１ｅ・・・映像データ及び音声データを含むシーン
７２ａ、７２ｂ、７２ｃ、７２ｄ、７２ｅ・・・音声データのみを含むシーン
【図１】
2007274556.tif 000003
【図２】
2007274556.tif 000004
【図３】
2007274556.tif 000005
【図４】
2007274556.tif 000006
【図５】
2007274556.tif 000007
【図６】
2007274556.tif 000008
【図７】
2007274556.tif 000009